(57)【要約】【課題】自己撮影を行なっている撮影者に対し、画角内に入っているか入っていないかを認識させることはもちろんのこと、さらには、画角内における位置を従来よりも正確に撮影者に対し認識させることのできる、自己撮影のための機能を備えたカメラを提供する。【解決手段】撮影操作に応じて撮影画角内の被写体の写真撮影を行なうカメラにおいて、標識と、自己撮影時に、上記標識を、撮影画角内の自己の位置の情報を伴って視認させる光路規制部材とを備えた。【選択図】　　　　図１
2004004453.tif 000002
【特許請求の範囲】
【請求項１】
撮影操作に応じて撮影画角内の被写体の写真撮影を行なうカメラにおいて、
標識と、
自己撮影時に、前記標識を、撮影画角内の自己の位置の情報を伴って視認させる光路規制部材とを備えたことを特徴とするカメラ。
【請求項２】
前記光路規制部材は、自己撮影時に、前記標識を、撮影画角内の複数の所定の方向のいずれかから眺めたときのみ視認させる複数の視認窓を有するものであることを特徴とする請求項１記載のカメラ。
【請求項３】
前記標識を複数備え、
前記光路規制部材は、自己撮影時に、撮影画角内の複数の所定の方向のいずれかから眺めたときに前記複数の標識のうちいずれかが視認される視認窓を有することを特徴とする請求項１記載のカメラ。
【請求項４】
前記光路規制部材は、自己撮影時に、前記標識を、撮影画角内の、中央の方向と、右よりの所定の方向と、左よりの所定の方向のうちいずれかの方向から眺めたときにのみ視認させる３つの視認窓を有するものであることを特徴とする請求項１記載のカメラ。
【請求項５】
このカメラ上面の両端部双方に撮影操作用のシャッタ釦を備えたことを特徴とする請求項１から４のうちのいずれか１項記載のカメラ。
【請求項６】
前記視認窓は、前記複数の所定の方向のいずれかから眺めたときに前記標識を両眼で視認させる寸法の視認窓であることを特徴とする請求項２又は３記載のカメラ。
【請求項７】
前記視認窓に、前記標識から前記視認窓に向かう光束を撮影レンズの光軸に向けて屈折させる屈折部材を備えたことを特徴とする請求項２又は３記載のカメラ。
【請求項８】
前記屈折部材は、前記視認窓を覆うカバー部材を兼ねたものであることを特徴とする請求項７記載のカメラ。
【請求項９】
前記屈折部材は、クサビ形状を有するものであることを特徴とする請求項７記載のカメラ。
【請求項１０】
前記視認窓が、撮影レンズ鏡胴に隣接した位置に配備されてなることを特徴とする請求項２又は３記載のカメラ。
【請求項１１】
撮影操作に応じて撮影画角内の被写体の写真撮影を行なうカメラにおいて、
自己撮影時に被写体が撮影画角内にあることを視認する反射ミラーを備え、該反射ミラーは複数の方向のいずれへも向きの変更が自在かつ変更後のいずれの向きでも保持されるものであることを特徴とするカメラ。
【請求項１２】
自己撮影時に被写体が撮影画角内にあることを視認する反射ミラーを備え、該反射ミラーは、前記標識を前記複数の所定の方向のうちのいずれの方向から眺めたときであっても自分が撮影画角内にあることが視認できるような向きへの変更が自在なものであることを特徴とする請求項２又は３記載のカメラ。
【請求項１３】
前記複数の所定の方向それぞれから前記標識を眺めたときの該標識の色のうち、前記反射ミラーの向きに応じた標識の色のみを変更する色変更手段を備えたことを特徴とする請求項１２記載のカメラ。
【請求項１４】
前記標識が発光素子であって、該発光素子から光を導いて自己撮影モードにあることを知らせる警告表示部を備えたことを特徴とする請求項２又は３記載のカメラ。
【請求項１５】
前記標識が発光素子であって、該発光素子は自己撮影モードに切り替えられたことを受けて点灯し、所定時間経過後に点滅に移行し、その後消灯するものであることを特徴とする請求項２又は３記載のカメラ。
【発明の詳細な説明】
【０００１】
【発明の属する技術分野】
本発明は、自己撮影のための機能を備えたカメラに関する。
【０００２】
【従来の技術】
従来より、カメラの撮影レンズを自分自身に向け、自分でシャッタ操作を行なって写真撮影を行なう、いわゆる自己撮影が行なわれている。
【０００３】
このようなカメラには、自分自身が画角内に入っているか否かを判断する際の目安となる目視部が内部あるいは後面に、この目視部を前方から視認するための視認窓が前面に備えられたものが提案されている（例えば、特許文献１参照。）。このカメラでは、自己撮影者が、このカメラの前面に備えられた上記視認窓を通して上記目視部を視認できれば自分自身が画角内に入っていることを認識することができ、上記目視部を視認できなければ自分自身が画角から外れていることを認識することができる。
【０００４】
【特許文献１】
特開２０００−１４７６３１号公報
【０００５】
【発明が解決しようとする課題】
しかし、上記カメラでは、自己撮影時に自分が画角内に入っているか画角から外れているかはわかるが、自分自身が画角内のどの位置に撮影されるかという点については認識し難いため、画角内における所望の位置に自分自身を置いた写真を撮るのが困難であるという問題がある。
【０００６】
本発明は、上記事情に鑑み、自己撮影を行なっている撮影者に対し、画角内に入っているか入っていないかを認識させることはもちろんのこと、さらには、画角内における位置を従来よりも正確に撮影者に対し認識させることのできる、自己撮影のための機能を備えたカメラを提供することを目的とする。
【０００７】
【課題を解決するための手段】
上記目的を達成するための本発明の第１のカメラは、
撮影操作に応じて撮影画角内の被写体の写真撮影を行なうカメラにおいて、
標識と、
自己撮影時に、上記標識を、撮影画角内の自己の位置の情報を伴って視認させ
る光路規制部材とを備えたことを特徴とする。
【０００８】
本発明の第１カメラでは、画角内の自己撮影者は、画角内における自己の位置に応じて変化する、光路規制部材上の部位を経由して標識を視認することができる。したがって、本発明のカメラによれば、自己撮影者が、標識を視認している、光路規制部材上の部位によって、画角内における自己の位置を従来よりも正確に認識することができる。
【０００９】
ここで、本発明の第１カメラの上記光路規制部材は、自己撮影時に、上記標識を、撮影画角内の複数の所定の画角方向から眺めたときのみ視認させる複数の視認窓を有するものであることが好ましい。
【００１０】
このようにすると、画一的な構図とならない写真を撮ることができる。
【００１１】
あるいは、本発明の第１カメラが上記標識を複数備え、
上記光路規制部材は、自己撮影時に、撮影画角内の複数の所定の方向のいずれかから眺めたときに上記複数の標識のうちいずれかが視認される視認窓を有することも好ましい。
【００１２】
このようにしても、画一的な構図とならない写真を撮ることができる。
【００１３】
また、本発明の第１のカメラの上記光路規制部材は、自己撮影時に、上記標識を、撮影画角内の、中央の方向と、右よりの所定の方向と、左よりの所定の方向のうちいずれかの方向から眺めたときにのみ視認させる３つの視認窓を有するものであることも好ましい態様である。
【００１４】
このようにすると、自分自身を画角内の、中央、左側、あるいは右側に設定した撮影を正確に行なうことができる。
【００１５】
さらに、本発明の第１のカメラが、カメラ上面の両端部双方に撮影操作用のシャッタ釦を備えたものであることも好ましい態様である。
【００１６】
このようにすると、自己撮影も右手で行なうことができて便利である。
【００１７】
ここで、本発明の第１カメラの上記視認窓は、上記複数の所定の方向のいずれかから眺めたときに上記標識を両眼で視認させる寸法の視認窓であることが好ましい。
【００１８】
このようにすると、右目が利き目の撮影者の、撮影画角内での所定の位置と、左目が利き目の撮影者の、撮影画角内での所定の位置との間のずれを無くすことができる。また、標識を両目で見ることができるため標識がより見易いものとなる。
【００１９】
また、本発明の第１のカメラの上記視認窓に、上記標識から上記視認窓に向かう光束を撮影レンズの光軸に向けて屈折させる屈折部材を備えたものであることも好ましい。
【００２０】
このようにすると、標識に対し視認窓をカメラ光軸側にずらして設けることで上記標識から上記視認窓に向かう光を光軸と交わらせ、撮影画角内における自己撮影者の写る位置を調整していた従来に比べ、標識に対し視認窓をカメラ光軸側にずらすことなく上記標識から上記視認窓に向かう光を光軸と交わらせることができるため、カメラサイズをコンパクト化することができる。
【００２１】
さらに、上記屈折部材は、上記視認窓を覆うカバー部材を兼ねたものであることが好ましい。
【００２２】
このように、屈折部材は、カメラのカバー部材の一部として一体に成形されるものであってよい。
【００２３】
あるいは、上記屈折部材は、クサビ形状を有するものであることも好ましい態様である。
【００２４】
このように、屈折部材は、クサビ形状で形成されるものであってよい。
【００２５】
ここで、本発明の第１のカメラの上記視認窓が、撮影レンズ鏡胴に隣接した位置に配備されていることも好ましい。
【００２６】
このようにすると、レンズ鏡胴に隣接した位置に存在するデッドスペースを有効に利用することができるので、標識および視認窓のためだけにスペースをカメラ内に設ける場合と比べ、カメラサイズをコンパクト化することができる。
【００２７】
上記目的を達成するための本発明の第２のカメラは、
撮影操作に応じて操作画角内の被写体の写真撮影を行なうカメラにおいて、
自己撮影時に被写体が撮影画角内にあることを視認する反射ミラーを備え、該反射ミラーは複数の方向のいずれへも向きの変更が自在かつ変更後のいずれの向きでも保持されるものであることを特徴とする。
【００２８】
本発明の第２のカメラでは、上記構成により、自己撮影時に、反射ミラーを見たときにその反射ミラー上に自分自身が写るか否かによって自分がその撮影画角内に入っているか否かを判断できる所定の向きに反射ミラーを保持させることができる。したがって、本発明の第２のカメラによっても、自己撮影者が、反射ミラーを視認することにより、撮影画角内における自己の位置を従来よりも正確に認識することができる。
【００２９】
ここで、本発明の第１のカメラが自己撮影時に被写体が撮影画角内にあることを視認する反射ミラーを備え、この反射ミラーは、上記標識を上記複数の所定の方向のうちのいずれの方向から眺めたときであっても自分が撮影画角内にあることが視認できるような向きへの変更が自在なものであることも好ましい態様である。
【００３０】
さらに、上記複数の所定の方向それぞれから上記標識を眺めたときの該標識の色のうち、上記反射ミラーの向きに応じた標識の色のみを変更する色変更手段を備えたことも好ましい態様である。
【００３１】
このようにすると、自己撮影を複数の人間で行なう場合に、複数ある所定の方向のうち、いずれの所定の方向から見える反射ミラー上に写る撮影画角が、実際の写真撮影の画角となるかを認識させることができる。
【００３２】
また、本発明の第１のカメラの上記標識が発光素子であって、この発光素子から光を導いて自己撮影モードにあることを知らせる警告表示部を備えたことも好ましい。
【００３３】
このようにすると、近距離位置でのフォーカスロック、フラッシュ減光などがなされている自己撮影用の撮影条件のまま通常撮影を行なってしまうという失敗を抑制することができる。
【００３４】
ここで、本発明の第１のカメラの上記標識が発光素子であって、この発光素子は自己撮影モードに切り替えられたことを受けて点灯し、所定時間経過後に点滅に移行し、その後消灯するものであることも好ましい。
【００３５】
このようにすると、発光素子の発光による電力消費の抑制と、自己撮影モードを選択したにもかかわらず標識である発光素子が消灯していることによって自己撮影者に与えてしまうおそれのある唐突感の緩和とを両立させることができる。
【００３６】
【発明の実施の形態】
以下、本発明の実施形態について説明する。
【００３７】
まず、本発明のカメラの第１実施形態について説明する。
【００３８】
図１は、本実施形態の、斜め前方からの外観斜視図である。
【００３９】
図１に示す本実施形態のカメラ１は、自己撮影モードを有する、レンズ鏡胴が内蔵されたコンパクトカメラであり、自己撮影モードが選択されると、カメラ内部のＬＥＤ１９（図３参照）が点灯される。このカメラ１の前面には、中央付近に撮影レンズを覆うレンズバリア１４、レンズバリアの上方右側（図１では左側）にファインダ対物窓１２、レンズバリアの上方左側にフラッシュ発光窓１３、および、ファインダ対物窓１２の上方に、自己撮影時に使用される３つの視認窓１ａ、１ｂ、１ｃが備えられている。尚、カメラ１の内部上方には、上記の３つの視認窓１ａ、１ｂ、１ｃを通して視認する対象であるＬＥＤ１９が備えられている。
【００４０】
このカメラ１の上面には、両端にレリーズボタン１５、中央に自己撮影モードが選択された時にカメラ内部で点灯されるＬＥＤ１９の光をカメラ外部に導くライトガイド１６、背面側に、詳しくは後述する反射ミラー１７が備えられている。
【００４１】
このカメラ１では、自己撮影者は、例えば、自分自身を撮影画角内の中央に配置させる場合には、３つの視認窓１ａ、１ｂ、１ｃのうちの中央の視認窓１ｂを通してその奥のＬＥＤ１９の光が確認できる位置に移動し、自分自身を撮影画角内の右側に配置させる場合には、右側の視認窓１ａを通してＬＥＤ１９の光が確認できる位置に移動すればよい。また、自分自身を撮影画角内の左側に配置させる場合には、左側の視認窓１ｃを通してＬＥＤ１９の光が確認できる位置に移動すればよい。
【００４２】
また、このカメラ１では、カメラ上面に立設されている反射ミラー１７を、自分を画角の中心に位置させるために視野窓１ｂを通してＬＥＤの光を確認している場合には正面の所定の位置に、自分を画角内の右側に位置させるために視野窓１ａを通してＬＥＤの光を確認している場合にはやや右向き（カメラに向かってやや左向き）の所定の位置に、自分を画角内の左側に位置させるために視野窓１ｃを通してＬＥＤの光を確認している場合にはやや左向き（カメラに向かってやや右向き）の所定の位置に手動で向けさせることにより、被写体を反射ミラー上に写し出すことができるようになっている。
【００４３】
図２は、図１に示すカメラの上面に立設されている反射ミラーの外観斜視図である。
【００４４】
図２に示す反射ミラー１７は、上部の鏡部１７ａと下部の挿入棒１７ｂからなり、下部の挿入棒１７ｂの断面は、楕円形を半分に切断した形状を有している。
【００４５】
また、図２に示される反射ミラー１７は、カメラ１に対し着脱自在のものであり、自己撮影時には、反射ミラー１７の挿入棒１７ｂがカメラ１の上面に設けられた挿入口１８（図３および図４参照）に挿入されて使用される。
【００４６】
図３は、反射ミラーの、自己撮影時における３通りの使用態様を示す図である。
【００４７】
図３（ａ）から図３（ｃ）の上段には、それぞれ、撮影画角内の右側に自分自身を配置させて撮影を行なうときの反射ミラーの向きと、撮影画角内の中央に自分自身を配置させて撮影を行なうときの反射ミラーの向きと、撮影画角内の左側に自分自身を配置させて撮影を行なうときの反射ミラーの向きとが示されている他、ライトガイド１６および視認窓１ａ、１ｂ、１ｃも示されている。
【００４８】
図３（ａ）から図３（ｃ）の下段には、それぞれ、反射ミラー１７の挿入棒１７ｂが挿入される、カメラ１の上面に設けられた挿入口１８と、この挿入口１８を形成する、ＡＢＳ樹脂で成形された埋め込み部材１８０（図４参照）の筒部１８１と、ＬＥＤ１９と、この筒部１８１にアーム１８２を介して取り付けられている色付フィルタ１８３とが示されており、３つの視認窓１ａ、１ｂ、１ｃそれぞれを通してＬＥＤ１９を視認する場合に対応して、カメラ光軸に対する反射ミラーの角度が決定されている。ここでは、カメラ光軸と、反射ミラー１７の中心軸とがなす角度（水平成分）をα、カメラ光軸と、自己撮影が行なわれる、撮影画角内の所定の右側および左側の方向（視認窓１ａ、あるいは視認窓１ｃの中心とＬＥＤ１９とを結ぶ線）とがなす角度（水平成分）をβとしており、αはβの半分の角度に設定されている。
【００４９】
図４は、上記埋め込み部材の外観斜視図である。
【００５０】
図４には、挿入口１８を形成する埋め込み部材１８０の構成要素である、筒部１８１、筒部に溶着されたアーム１８２、および、このアームに取り付けられた色付フィルタ１８３が示されている。
【００５１】
図３（ａ）から図３（ｃ）の下段に示される筒部１８０と、色付フィルタ１８３とは、図４に示すように、アーム１８２を介して繋がれているので、反射ミラー１７が、所定の３つの向きのうちのいずれかの向きに設定されると、３つの視認窓１ａ、１ｂ、１ｃに対する色付フィルタ１８３の位置は３つの態様で変化する。つまり、図３（ａ）に示すように反射ミラー１７が自己撮影者から見てやや左向きにされると、右側（図３（ａ）では左側）の視認窓１ａを通して確認できるＬＥＤの光のみが色付フィルタ１８３を透過することとなり、その時に、視認窓１ｂ、１ｃを通して確認できるのは、色付フィルタを経ていないＬＥＤ自身の発色光となる。したがって、このカメラ１では、反射ミラー１７が向けられている所定の方向に対応する視認窓から確認できるＬＥＤの光は、反射ミラーが向けられていない所定の方向に対応する他の２つの視認窓から確認できるＬＥＤの光とは色が異なることとなり、他とは異なる色の光を確認する人から見える反射ミラー上に写し出される範囲が撮影範囲と一致するようになっている。尚、図３（ｂ）では、視認窓１ｂを通して確認できるＬＥＤの光が他とは異なる色に見え、図３（ｃ）では、視認窓１ｃを通して確認できるＬＥＤの光が他とは異なる色に見える。このようにすることで、自己撮影を複数の人間で行なう場合に、３つの視認窓１ａ、１ｂ、１ｃを通してＬＥＤ１９を見た場合に、ＬＥＤ１９自身の発色光と異なる色を視認している所定の方向に対応して向けられている反射ミラーに写されている像が実際の撮影画角と一致することとなり、これにより、実際の撮影画角を確認しながら自己撮影を行なうことができる。
【００５２】
ここで、視認窓を通して確認できるＬＥＤの光、および、使用する視認窓に応じて手動で動かす反射ミラーについて、それぞれ詳細に説明する。
【００５３】
図５は、カメラのフィルム面の前方において、撮影画角内の３人の被写体がそれぞれが、３つの視認窓それぞれを通して両眼でＬＥＤの光を確認している様子を示す概念図である。
【００５４】
図５（ａ）には、ＬＥＤからの光が３つの視野窓に規制されて画角内を進んでいる様子が示されている。
【００５５】
図５（ｂ）には、被写体である３人の顔が３つの円で示され、それぞれの円内に示される２つのさらに小さい円は、その人の両眼を表わしている。また、この被写体の両眼の間隔は６０ｍｍに設定されており、ここでは、３人の被写体がそれぞれ、３つの視認窓を通して両眼でＬＥＤの光を確認している様子が示されている。このカメラ１では、１コマ２４ｍｍ×３６ｍｍの写真フィルムが使用され、自己撮影時には、焦点距離が２４ｍｍに固定されることから画角は７２°となる。
【００５６】
また、このカメラ１では、この７２°の画角に対する３人の被写体のバランスを考えて、隣り合う視認窓の中心をそれぞれ通過する、ＬＥＤからの光は水平方向に１６°の角度を以って画角内を進むように設定されており、さらには、フィルム面から４００ｍｍ前方の、両眼の間隔が６０ｍｍまでの人がこのＬＥＤの光を両眼で確認できるように、３つの視認窓それぞれを通過した光束が水平方向に９°で画角内を進むように視認窓の寸法が規制されている。
【００５７】
図５（ｃ）には、ＬＥＤ１９からの光の鉛直成分が、視野窓に規制されて画角内を進んでいる様子が示されており、視野窓に規制されたＬＥＤの光は、フィルム面から前方６００ｍｍ進んだところで、カメラ１の光軸を含む水平面と交わる。
【００５８】
図６は、３つの視認窓によって規制されて画角内を進む、ＬＥＤからの光の水平成分を示す図である。
【００５９】
図６には、カメラ１の横断面が示されており、カメラ１の背面側に位置する１コマ分のロール状の写真フィルム９、ＬＥＤ１９、３つの視野窓１ａ、１ｂ、１ｃ、レンズ鏡胴８、およびカメラ光軸Ｉが示されている他、隣り合う視認窓の中心をそれぞれ通過するＬＥＤからの光がなす角度が１６°、および、フィルム面から４００ｍｍ前方の、両眼の間隔が６０ｍｍまでの人が両眼で確認できるように視認窓によって規制された、ＬＥＤからの水平角度９°の光束も示されている。尚、この水平角度９°については、自己撮影の被写体となる人間の両眼の範囲を５０ｍｍから７０ｍｍ、自己撮影モードにおける至近撮影でのフィルム面からの距離範囲を３００ｍｍから５００ｍｍと想定すると、角度が少なくとも６°になるように視野窓の寸法を規制することで両眼によるＬＥＤの光の確認が可能となり、角度が１３°になるように視野窓の寸法を規制すれば、両眼によるＬＥＤの光の確認は確実となる。
【００６０】
図７は、３つの視認窓によって規制されて画角内を進む、ＬＥＤからの光の鉛直成分を示す図である。
【００６１】
図７には、カメラ１の縦断面が示されており、現在の撮影モードが‘自己撮影’であるか否かを確認するためのライトガイド１６、ＬＥＤ１９、ＬＥＤ１９が接続されている電気基板３００が示されている他、視認窓１ａ、１ｂ、１ｃ、光軸Ｉ、写真フィルム９、およびレンズ鏡胴８も示されている。このカメラ１では、撮影画角内において写される被写体の高さ方向の位置をプリント写真上最適な位置に置くために、視認窓をＬＥＤ１９よりも光軸側に設けることで、ＬＥＤ１９からの光が、自己撮影が行なわれると思われる、フィルム面からある程度離れた場所でカメラ光軸と交わるように視認窓によって規制されている。
【００６２】
図８は、反射ミラーの角度について示す図である。
【００６３】
図８には、反射ミラーを自己撮影者から見てやや右側に向けた状態が示されており、７２°の画角、カメラ光軸Ｉ、反射ミラーの法線Ｈ、ＬＥＤ１９と右側視認窓１ａの中心とを結ぶ線Ｊが示されており、カメラ光軸Ｉと線Ｊとがなす角度を１６度とすると、カメラ光軸Ｉと反射ミラーの法線Ｈとがなす角度をこの１６°の半分の８°とすることで、右側の視認窓１ａを通してＬＥＤ１９の光を確認しながら反射ミラー上見える像が撮影範囲となる。
【００６４】
本実施形態のカメラ１では、前述したように、自己撮影モードが選択されるとＬＥＤ１９が点灯するが、これは、自己撮影モードが選択されると同時に起動されるルーチンによるものである。
【００６５】
図９は、自己撮影モードが選択されると起動されるルーチン‘自己撮影’のフローチャートである。
【００６６】
図９に示すルーチンでは、まず、ステップＳ１において、ＬＥＤ１９の点灯が指示される。その後、ステップＳ２に進み、現在選択されているモードが自己撮影であるか否かが判定される。
【００６７】
ステップＳ２において、現在のモードが自己撮影であると判定されると、ステップＳ２を繰り返す。
【００６８】
ステップＳ２において、現在のモードがもはや自己撮影ではないと判定されると、ステップＳ３に進み、ＬＥＤ１９の消灯が指示される。その後、このルーチンは終了される。このように、このカメラ１では、自己撮影モードを選択するとＬＥＤ１９が点灯され、ライトガイド１６によりカメラ外部にＬＥＤの光が導びかれるため、フォーカスロックなどが行なわれる自己撮影モードを選択しておきながら、そのことを忘れ、誤って通常の撮影を行なわないようにすることができる。尚、本実施形態のカメラ１では、ＬＥＤ１９が、撮影画角内における所定の位置を決定するための指標、および、現在のモードが自己撮影モードになっていることを表わす指標として兼用で使用されているため、これらを別個に備える場合に比べ、コストの低減が図られている。また、本実施形態のカメラ１では、ＬＥＤ１９からの発色光をライトガイド１６によってカメラ上面に導いた場合を例に挙げているが、これがファインダ接眼窓の周囲、あるいは、ファインダ内において視認できるようになっていてもよい。
【００６９】
図１０は、視認窓が、図７に示される視認窓に比べカメラの上面寄りに設けられたカメラの縦断面を示す図である。尚、図１０において示されるもので、図７に示されているものと同じ種類のものには、図７において付されている符号と同じ符号が付されている。
【００７０】
図１０に示す、本実施形態の別態様であるカメラ１０の視認窓１０ａ、１０ｂ、１０ｃは、ＬＥＤ１９とほぼ同じ高さに設けられており、さらに、各視認窓には、視認窓を通過するＬＥＤからの光を光軸側に向けるためのクサビ形状の屈折部材１１ａ、１１ｂ、１１ｃが嵌め込まれている。これにより、視認窓からカメラ光軸までの距離よりも、ＬＥＤからカメラ光軸までの距離を大きくすることで視認窓を通過するＬＥＤからの光を光軸側に向けていた従来に比べ、ＬＥＤ１９の前方側のデッドスペースを縮小することが可能となる。従来のカメラの縦断面を示す図７と比較すると、図７における電気基板３００は、ＬＥＤ１９からの光束を遮らないようにカメラ本体の後方に備えられているが、図１０では、図７ではカメラ本体の後方にもってこざるを得なかった電気基板３００をＬＥＤ１９よりも前方に備えることができるようになっている。したがって、本実施形態の別態様であるカメラ１０によれば、カメラ本体の高さ方向への縮小が可能となると共に、図７では電気基板３００が備えられていたＬＥＤ１９の背面側のスペースもまた利用可能になるために、カメラサイズをコンパクト化することができる。
【００７１】
尚、これら屈折部材１１ａ、１１ｂ、１１ｃに、クサビ形状のものを採用したことにより、直方体あるいは立方体形状のものを採用する場合に比べて同じ効果を低コストで得ることが可能となっている。
【００７２】
図１１は、図１０において説明した本実施形態の別態様であるカメラの、斜め前方からの外観斜視図である。
【００７３】
図１１に示す本実施形態の別態様であるカメラ１０では、図１０において説明したように、視認窓１０ａ、１０ｂ、１０ｃが、図１に示される視認窓１ａ、１ｂ、１ｃよりもカメラの上面側に設けられている。
【００７４】
図１２は、図１および図１１ではカメラの中央上部付近に備えられていた視認窓およびＬＥＤを、レンズ鏡胴の左下方付近に備えた場合の態様を示す図である。
【００７５】
図１２に示す、本実施形態の別態様であるカメラ１００では、視認窓１００ａ、１００ｂ、１００ｃおよびＬＥＤ１９がレンズ鏡胴の左下方付近に備えられているが、これは、このレンズ鏡胴８の左下方のスペースを利用したものであり、これが左下方ではなく左上方、右上方、あるいは右下方に利用可能のスペースがある場合には、そのスペースに備えられてよい。これにより、図１１に示されるカメラ１０に比べて、さらに、高さ方向の縮小化を実現することができる。
【００７６】
図１３は、本実施形態の別態様であるカメラにおいて、自己撮影モードが選択された場合に起動されるルーチンのフローチャートである。尚、この別形態では、このルーチンの終了後に通常の撮影モードに戻る。
【００７７】
図１３に示すルーチン‘自己撮影’では、ステップＳ１１において、Ｃに値１０が与えられる。その後、ステップＳ１２において、ＬＥＤの点灯が指示され、次のステップＳ１３では、値１の減算がＣについて行なわれる。その後ステップＳ１４に進む。
【００７８】
ステップＳ１４では、Ｃの値が減算によりゼロになったか否かが判定される。
【００７９】
ステップＳ１４において、Ｃがまだゼロになっていないと判定されると、ステップＳ１３に戻りＣの減算が繰り返される。
【００８０】
ステップＳ１４において、Ｃがゼロになったと判定されると、ステップＳ１５に進み、Ｃに値５が与えられる。その後、ステップＳ１６に進み、ステップＳ１２の指示により点灯されていたＬＥＤの消灯が指示され、次のステップＳ１７では、値１の減算がＣについて行なわれる。その後、ステップＳ１８において、ＬＥＤの点灯が指示され、次のステップＳ１９において、Ｃの値が減算によりゼロになったか否かが判定される。
【００８１】
ステップＳ１９において、Ｃの値がゼロではないと判定されると、ステップＳ１６に戻り、Ｃの値がゼロであると判定されるとステップＳ２０に進み、ＬＥＤの消灯が指示される。その後、このルーチンを終了する。
【００８２】
このように、自己撮影モードが選択されると、現在選択されているモードが自己撮影モードであることをＬＥＤ１９の点灯によって知らせ、電力消費を抑えるために、このＬＥＤ１９を点滅させた後、消灯させることで、撮影者に唐突なじを与えることなく自己撮影モードが終了することを気づかせることができると共に、電力消費を抑えることができる。
【００８３】
以上の第１実施形態では、３つの視認窓を設けた場合を例に挙げて説明したが、これに限らず、画角内の、正面および左右にそれぞれ２ヶ所の計５つの所定の位置でＬＥＤの光を確認できるものであって、反射ミラー１７もこれら５つの所定の位置に応じた所定の位置に向けることができるようになっていてもよい。
【００８４】
次に、本発明の第２実施形態について説明する。
【００８５】
図１４は、本実施形態の、斜め前方からの外観斜視図である。尚、図１４に示されるもののうち図１に示されるものと同じ種類のものについては、図１において付されている符号と同じ符号が付されている
図１４に示す本実施形態のカメラ２は、図１に示す第１実施形態のカメラ１と同じ種類の、レンズ鏡胴が内蔵されたコンパクトカメラである。
【００８６】
図１４に示すカメラ２と、図１に示すカメラ１との外観上の違いは、図１においては３つ設けられていた視認窓が１つになっている点である。
【００８７】
図１５は、反射ミラーの、自己撮影時における３通りの使用態様を示す図である。
【００８８】
図１５（ａ）から図１５（ｃ）の上段には、それぞれ、撮影画角内の右側に自分自身を配置させて撮影を行なうときの反射ミラーの向きと、撮影画角内の中央に自分自身を配置させて撮影を行なうときの反射ミラーの向きと、撮影画角内の左側に自分自身を配置させて撮影を行なうときの反射ミラーの向きとが示されている他、ライトガイド１６および視認窓２ａも示されている。
【００８９】
図１５（ａ）から図１５（ｃ）の下段には、それぞれ、１組ずつで構成される端子２８４ａ、２８４ｂ、２８４ｃと、反射ミラー１７の挿入棒１７ｂが挿入される、カメラ２の上面に設けられた挿入口１８と、この挿入口１８を形成する、ＡＢＳ樹脂で成形された埋め込み部材２８０の筒部２８１と、３つのＬＥＤ２１９ａ、２１９ｂ、２１９ｃとが示されている。尚、これら３つのＬＥＤ２１９ａ、２１９ｂ、２１９ｃは、青と赤の２種類の色光をそれぞれ発光することができるものである。尚、ここに示されるαおよびβについては前述した通りである。
【００９０】
図１６は、本実施形態の埋め込み部材の外観斜視図である。
【００９１】
図１６には、挿入口１８を形成する筒部２８１、筒部に固定された金属片２８３、および、この金属片の先端部以外の部分を被覆している絶縁材２８２が示されている。
【００９２】
図１５（ａ）から１５（ｃ）の下段に示すように、自己撮影者が視認しようとしているＬＥＤに応じて反射ミラー１７が所定の３つの向きのうちのいずれかの向きに自己撮影者によって手動で設定されると、これら端子と金属片２８３の接触は３つの態様で変化する。まず、反射ミラー１７の向きが自己撮影者から見て左向きに変化することによって金属片２８３と端子２８４ｃが接触すると、ＬＥＤ２１９ｃのみが青で発色し、その他のＬＥＤは赤で発色するようになっており、金属片２８３と端子２８４ｂが接触すると、ＬＥＤ２１９ｂのみが青で発色し、その他のＬＥＤは赤で発色するようになっている。また、金属片２８３と端子２８４ａが接触すると、ＬＥＤ２１９ａのみが青で発色し、その他のＬＥＤは赤で発色するようになっている。つまり、このカメラ２では、自己撮影者が、視認しようとしているＬＥＤに応じた向きに反射ミラー１７を手動で向けると、視認しようとしているＬＥＤの光は、向けられていない所定の２方向から確認できるＬＥＤの光と色が異なることとなり、青色の光を確認しながら反射ミラー上に写し出される範囲が撮影範囲と一致するようになっている。
【００９３】
以下、視認窓を通して確認できるＬＥＤの光と、使用している視認窓に応じて手動で動かす反射ミラーとについて説明する。
【００９４】
図１７は、カメラのフィルム面の前方において、撮影画角内の３人の被写体それぞれが、３つの視認窓それぞれを通して両眼でＬＥＤの光を確認している様子を示す概念図である。
【００９５】
図１７（ａ）には、３つのＬＥＤ２１９ａ、２１９ｂ、２１９ｃからの光が、視野窓２ａに規制されて画角内を進む様子が示されている。
【００９６】
図１７（ｂ）には、カメラのフィルム面から４００ｍｍ前方の被写体である３人の顔が３つの円で示され、それぞれの円内に示される２つのさらに小さい円は、その人の両眼を表わしている。また、この被写体の両眼の間隔は６０ｍｍに設定されており、ここでは、３人の被写体がそれぞれ、視認窓を通して両眼でＬＥＤの光を確認している様子が示されている。このカメラ２でも、１コマ２４ｍｍ×３６ｍｍの写真フィルムが使用され、自己撮影時には、焦点距離が２４ｍｍに固定にされることから画角は７２°となり、このカメラ２では、図１７（ｂ）と、第１実施形態の図５（ｂ）とが同じ図になるように３つのＬＥＤ２１９ａ、２１９ｂ、２１９ｃおよび１つの視認窓２ａが配置されており、この７２°の画角に対する３人の被写体のバランスを考えて、視認窓２ａの中心を通過する、隣り合うＬＥＤからの光は水平方向に１７°の角度を以って画角内を進むように設定されており、さらには、フィルム面から４００ｍｍ前方の、両眼の間隔が６０ｍｍまでの人がこのＬＥＤの光を両眼で確認できるように、視認窓２ａを通過した３つのＬＥＤからの光束が水平方向に９°で画角内を進むように視認窓の寸法が規制されている。
【００９７】
図１７（ｃ）についての説明は、図５（ｃ）についての説明と重複するので省略する。
【００９８】
図１８は、３つのＬＥＤからの光が１つの視認窓を通して画角内に進んでいる様子を示す図である。
【００９９】
図１８には、カメラ２の横方向の断面図が示されており、カメラ２の背面側に位置する１コマ分のロール状の写真フィルム９、３つのＬＥＤ２１９ａ、２１９ｂ、２１９ｃ、視野窓２ａ、およびレンズ鏡胴８が示されている他、視認窓の中心を通過する、隣り合うＬＥＤからの光のなす角度が１７°、および、フィルム面から４００ｍｍ前方の、両眼の間隔が６０ｍｍまでの人が両眼で確認できるように視認窓によって規制された、水平角度９°のＬＥＤからの光束も示されている。ＬＥＤからの光束が有する水平角度に附いては、前述した通りであるので説明は省略する。
【０１００】
反射ミラーの角度についての説明は、第１実施形態のカメラ１において図８を参照しながらした説明と重複するので省略する。
【０１０１】
本実施形態のカメラ２でも、自己撮影モードが選択されると３つのＬＥＤ２１９ａ、２１９ｂ、２１９ｃが点灯するが、これも、自己撮影モードが選択されると同時に起動されるルーチンによるものであり、これについての説明は、第１実施形態の別態様であるカメラ１００において図１３を参照しながらした説明と重複するので省略する。
【０１０２】
図１９は、図１４に示す本実施形態のカメラが、縦方向においてコンパクト化された場合の態様を示す図である。
【０１０３】
図１９に示す、本実施形態の別態様であるカメラ２０では、視認窓２０ａが、図１４に示される視認窓２ａよりもカメラの上面側に設けられており、図１１に示す第１実施形態の別態様であるカメラ１０と同様その視認窓２ａには屈折部材２１ａが嵌め込まれている。この屈折部材２１ａによる、カメラサイズのコンパクト化についての説明は、前述した通りであるので省略する。
【０１０４】
図２０は、図１４および図１９ではカメラの中央上部付近に備えられていた視認窓およびＬＥＤを、レンズ鏡胴の左下方付近に備えた場合の態様を示す図である。
【０１０５】
図２０に示される、本実施形態のカメラ２の別態様であるカメラ２００には、レンズ鏡胴の左下方に視野窓２００ａが示されている。尚、これについても、図１２に示す、第１実施形態のカメラ１の別態様であるカメラ１００についてした説明と同じ説明となるので省略する。
【０１０６】
以上説明した本発明のカメラの第２実施形態では、３つのＬＥＤを採用した場合を例に挙げて説明したが、これに限らず、撮影画角内の５つの所定の位置のいずれかから、５つのＬＥＤのうちのその選択した所定の位置に対応する１つのＬＥＤを１つの視認窓を通じて視認するものであってもよい。
【０１０７】
さらに、本発明のカメラの第３実施形態について説明する。
【０１０８】
図２１は、本発明のカメラの第３実施形態を示す図である。
【０１０９】
図２１に示す、本実施形態のカメラ３も図１に示されるカメラ１と同様、レンズ鏡胴を内蔵するコンパクトカメラである。尚、図２１に示されるもので、図１に示されるものと同じ種類のものには、図１で付されている符号と同じ符号が付されている
以下、このカメラ３と、図１に示す第１実施形態のカメラ１との外観上の相違点のみを説明する。
【０１１０】
このカメラ３の上面中央の、カメラ前面側には第１部材３０が、カメラ後面側には第２部材３１が立設されている。
【０１１１】
図２１に示す第１部材３０には、３つの小孔３０ａ、３０ｂ、３０ｃが設けられており、第２部材３１には、光源であるＬＥＤ１９が設けられている。尚、本実施形態では、光源としてＬＥＤ１９を使用しているが、これに限らず、エレクトロルミネセンス（ＥＬ）などを使用してもよい。このカメラ３の上面における、これら第１部材３０および第２部材３１の位置関係などについては後述する。
【０１１２】
図２２は、本実施形態のカメラを使用して自己撮影を行なう場合の、撮影レンズの光軸を含む水平面による断面を概念的に示した図である。尚、ここでは、自己撮影により、自分自身を含めた２人を被写体とした場合を想定している。
【０１１３】
図２２には、ロール状のフィルム１７の１コマ分（２４ｍｍ×３６ｍｍ）および被写体となる２人の人物の頭部が示されている。尚、本実施形態においても、焦点距離は２４ｍｍに固定されている。
【０１１４】
また、図２２には、被写体面からフィルム面までの距離である撮影距離Ｌを６００ｍｍ、被写体面における水平方向の画角範囲Ｗ（８６５ｍｍ）が示され、プリント時のカット分を画角範囲Ｗの１０％とした場合の、水平方向のプリント範囲Ｗ１（７７８．５ｍｍ）も示されている。
【０１１５】
さらに、図２２には、被写体である人物の顔の幅Ｗ４を２００ｍｍ、人物の肩幅を５００ｍｍと想定した場合の、水平方向のプリント範囲Ｗ１内における最適な人物の配置が、光軸Ｉに対する角度α（２３．５°）で示されている。尚、図２に示すＷ２は、２人の人物それぞれの頭部に想定した点Ｋと点Ｋ’の間の距離である。
【０１１６】
図２３は、図２１に示すカメラの上面に立設されている、第１部材および第２部材の位置関係を示す図である。
【０１１７】
図２３には、カメラ３の上面に立設されている，第１部材３０および第２部材３１の横断面を上方から見た図が示されている。尚、図２３の上方が、カメラ光軸の前方側である。
【０１１８】
図２３に示される第１部材３０の前面（図３では上面）から距離ｙ（２０ｍｍ）だけ光軸方向の後方に後退した（図３では下がった）位置に第２部材３１の前面（図３では上面）が位置している。
【０１１９】
第２部材３１に備えられているＬＥＤ１９、および第１部材３０の中央の小孔３０ｂは、光軸Ｉの垂直方向上方に設けられている。また、第１部材３０の中央の小孔３０ｂから距離ｘ（９ｍｍ）を隔てた両側には、左側の小孔３０ｃおよび右側の小孔３０ａが設けられており、ＬＥＤ１９、中央の小孔３０ｂ、左側の小孔３０ｃ、および右側の小孔３０ａの、光軸Ｉからの高さは、すべて等しく設定されている。尚、これらの小孔３０ａ、３０ｂ、３０ｃが、本発明にいう視認窓に相当する。
【０１２０】
図２３には、カメラ光軸と平行な、第２部材３１のＬＥＤ１９と第１部材３０の中央の小孔３０ｂを結ぶ線Ｂ、この線Ｂと上述した角度α（２３．５°）をなす、ＬＥＤ１９から第１部材３０の左側の小孔３０ｃを通過して光軸方向の左斜め前方（図２３の左斜め上方）に延びる線Ｃ、この線Ｂと上述した角度α（２３．５°）をなす、ＬＥＤ１９から第１部材３０の右側の小孔３０ａを通過して光軸方向の右斜め前方（図２３の右斜め上方）に延びる線Ａも示されている。これら線Ａ、線Ｂ、線Ｃは、第２部材３１のＬＥＤ１９から出射され、画角内の、右側、中央、および左側へ進む光の経路を示しており、これにより、右側への光（線Ａ）を視認できる位置が、前述したプリント範囲Ｗ１に入り、しかも被写体が２人である場合の、背景との兼ね合いが最適な左側の位置となり、左側への光（線Ｃ）を視認できる位置が、前述したプリント範囲Ｗ１に入り、背景との兼ね合いが最適な右側の位置となる。尚、図３における、距離ｘと距離ｙには、ｔａｎ−１（ｘ／ｙ）＝２３．５°を維持するような値を採用すればよく、尚、以下においては、線Ａを光路Ａ、線Ｂを光路Ｂ、線Ｃを光路Ｃと称呼する。
【０１２１】
ここで、図示しない、被写体面における鉛直方向の画角範囲について説明する。図２１に示す第２部材３１のＬＥＤ１９から出射され、第１部材３０の各小孔を経由した光は、被写体面におけるプリント範囲の中段よりもやや上に進むこととなる。したがって、光路Ａ、光路Ｂ、および光路Ｃを視認して撮影した場合、被写体の頭部は、プリント範囲内の中段よりもやや上に位置することとなり、この頭部の位置も背景との兼ね合いにおいては最適な位置となっている。尚、この被写体の頭部を下げるために、第１部材３０における小孔の位置を、第２部材３１におけるＬＥＤ１９の位置よりも下げてもよい。
【０１２２】
図２４は、撮影者が、１人で、図２３に示す、光路Ａ、光路Ｂ、および光路Ｃをカメラの前方からそれぞれ視認して行なった撮影によって得られたプリント写真を示す図である。
【０１２３】
図２４（ａ）に示すプリント写真には、光路Ａをこのカメラ３の前方から視認した自己撮影者が右端において撮影されている様子が示されている。また、図４（ｂ）に示す写真には、光路Ｂを視認した自己撮影者が中央において撮影されている様子が示され、図４（ｃ）に示す写真には、光路Ｃを視認した自己撮影者が左端において撮影されている様子が示されている。
【０１２４】
図２５は、被写体である２人の人物が、画角内の右側への光路Ａと画角内の左側への光路Ｃをそれぞれ視認しながら撮影を行なっている様子を示す図である。尚、この撮影において操作するシャッタ釦については、光路Ｃ側の人物がレリーズボタンを操作する場合は、このカメラ３の左側のレリーズボタン１５をこの人物の右手で行ない、また、光路Ａ側の人物がレリーズボタン１５を操作する場合は、このカメラ３の右側のレリーズボタン１５をこの人物の左手で行なうことでスムーズな撮影が可能となる。
【０１２５】
図２６は、図２５に示す撮影によって得られた写真を示す図である。
【０１２６】
図２６には、光路Ａと光路Ｃをそれぞれ視認した２人の人物が、プリント写真の、右端と左端において撮影されている様子が示されている。
【０１２７】
以上説明したように、本実施形態のカメラ３では、光路Ａ、光路Ｂ、および光路Ｃのうち、光路Ａと光路Ｃを視認することにより、画角内のしかもプリント範囲内の最適な左端および右端の位置にいることを認識することができる上に、光路Ｂを視認することで、プリント範囲内の中央にいることも認識することができる。さらに、撮影者が、画角内の右側を進む光路Ａよりも中央側に移動して、画角内の中央を進む光路Ｂを視認するまでは、自分がプリント範囲内の右端から中央までの間にいることを認識することができる。一方、撮影者が、画角内の左側を進む光路Ｃよりも中央側に移動して、画角内の中央を進む光路Ｂを視認するまでは、自分がプリント範囲内の左端から中央までの間にいることを認識することができる。
【０１２８】
さらに、本発明のカメラの第４実施形態について説明する。
【０１２９】
図２７は、本発明のカメラの第４実施形態を示す図である。尚、図２７に示されているもののうち、図１に示されているものと同じ種類のものには、図１において付されている符号と同じ符号が付されている。
図２７に示すカメラ４は、カメラ本体部４３（図２８参照）に、カメラカバー部４４（図２９参照）を被せた後、後述する自己撮影のためのベース部材４０などを取り付けたものである。
【０１３０】
図２７に示すカメラ４の上面には、ベース部材４０がネジ２４によって取り付けられており、可動部材４１は、軸２３によって回動自在にベース部材４０の後端側で軸着されており、カメラ４の前方側に倒されてベース部材４０と接触状態になるか、あるいは接触状態から引き起こされて起立状態となる。尚、このベース部材４０の中央付近には、後述するカメラ本体部４３に備えられたＬＥＤ１９からの光をカメラ４の上方に導くライトガイド２５が設けられ、また、このベース部材４０の端部には突起２８が突出している。この可動部材４１が、このカメラ４の前方側に向かって倒されてベース部材４０と接触しているときには、この突起２８が、この可動部材４１に押えられてスイッチが切れた状態となるため、カメラ本体部４３に設けられているＬＥＤ１９は消光され、可動部材４１が、ベース部材４０との接触状態から引き起こされた状態になると、スイッチが入りＬＥＤ１９が発光する。可動部材４１の、ベース部材４０と接触する面には、ＬＥＤ１９からの光を画角内の右側、中央、および左側に反射する反射面２６ａ、２６ｂ、２６ｃが備えられており、ライトガイド２５を経てカメラ４の上方に導かれた光は、これらの反射面で反射されて画角内の上記３つの方向に進む。また、可動部材４１には、上記３つの反射面それぞれの下方にフレーミング図が付設されており、このフレーミング図は、上記３つの反射面によって画角内に反射された光それぞれを視認した場合の、画角内の、しかもプリント範囲内における自分の位置を示している。尚、これらの反射面２６ａ、２６ｂ、２６ｃが、本発明にいう視認窓に相当する。
【０１３１】
図２８は、本実施形態のカメラの本体部を示す図である。
【０１３２】
図２８に示すカメラ本体部４３の上面には、図２７に示す左右２つのレリーズボタン１５の下部に位置し、レリーズボタンに対する操作を検出するスイッチ３２、前述したＬＥＤ１９、突起２８の下部に位置するスイッチ３３などが実装されている電気基板３００が備えられている。
【０１３３】
図２９は、本実施形態のカメラのカバー部を示す図である。
【０１３４】
図２９には、カメラ本体部４３に備えられているＬＥＤ１９から出射された光をカメラ４の上方に導くライトガイド２５が嵌め込まれるガイド孔４４１が示され、ライトガイド２５が下から上に向かって嵌め込まれようとしている様子も示されている。
【０１３５】
また、図２９には、図２７に示すネジ２４と螺合する２つのネジ孔４４２も示されている。前述したように、このライトガイド２５が嵌め込まれたカメラカバー部４４は、図２８に示すカメラ本体部４３に被されている。
【０１３６】
図３０は、本実施形態のカメラを使用して自己撮影を行なっている様子を示す図である。
【０１３７】
図３０には、図２８に示すＬＥＤ１９から出射され、反射面２６ａで反射され画角内の右側を進む光路Ａを視認しながら右側のレリーズボタン１５を操作している撮影者が示されている。このとき撮影者は、見つめている反射面２６ａの下方に表示されているフレ−ミング図によってもプリント写真内における自分の位置を認識することができる。
【０１３８】
図３１は、図３０における撮影によって得られた写真を示す図である。
【０１３９】
図３１には、フレーミング図通りにプリント写真の右端に位置している撮影者が示されている。
【０１４０】
以上説明した第４実施形態のカメラ４によれば、反射面２６ａあるいは反射面２６ｃにおいて反射された光を視認することで、画角内の、さらにはプリント範囲内の右端あるいは左端にいることを認識することができ、反射面２６ｂにおいて反射された光を視認することで、プリント範囲内の中央にいることを認識することが可能である。さらに、撮影者が、画角内の右側を進む、反射面２６ａにおいて反射された光の光路Ａよりも中央側に移動して、画角内の中央を進む、反射面２６ｂにおいて反射された光の光路Ｂを視認するまでは、自分がプリント範囲内の右端から中央までの間にいることを認識することができる。一方、撮影者が、画角内の左側を進む、反射面２６ｃにおいて反射された光の光路Ｃよりも中央側に移動して、画角内の中央を進む、反射面２６ｂにおいて反射された光の光路Ｂを視認するまでは、自分がプリント範囲内の左端から中央までの間にいることを認識することができる。
【０１４１】
最後に、本発明のカメラの第５実施形態について説明する。
【０１４２】
図３２は、本実施形態のカメラの、斜め前方からの外観斜視図である。
【０１４３】
図３２に示す本実施形態のカメラ５は、図１に示す第１実施形態のカメラ１と同じ種類の、レンズ鏡胴が内蔵されたコンパクトカメラである。
【０１４４】
図３２に示される本実施形態のカメラ５は、図１２に示されるカメラ１００から視認窓１００ａ、１００ｂ、１００ｃが省かれた外観を有している。尚、このカメラ５に外観上備えられているもので図１２に示されるものと同じ種類のものについては、図１２に付されている符号と同じ符号が付されており、図３２に示されているものは、全て説明済みのものである。
【０１４５】
図３３は、反射ミラーの、自己撮影時における３通りの使用態様を示す図である。
【０１４６】
図３３（ａ）から図３３（ｃ）の上段には、それぞれ、撮影画角内の右端に自分自身を配置させて撮影を行なうときの反射ミラーの向きと、撮影画角内の中央に自分自身を配置させて撮影を行なうときの反射ミラーの向きと、撮影画角内の左端に自分自身を配置させて撮影を行なうときの反射ミラーの向きとが示されている。
【０１４７】
図３３（ａ）から図３３（ｃ）の下段には、それぞれ、反射ミラー１７の挿入棒１７ｂが挿入される、カメラ１の上面に設けられた挿入口１８が示されている。尚、ここでは、カメラ光軸と、反射ミラー１７の中心軸とがなす角度（水平成分）は１８°に設定されており、この反射ミラーは、正面を含めた、左右に向けてそれぞれ１８°の方向に保持される。この角度１８°は、このカメラ５における自己撮影時の撮影画角が７２°であることを基に算出されており、反射ミラー１７を自己撮影者側から見て左に１８°傾けた場合は、自己撮影者側から見てこの反射ミラー１７上の左端に自分自身が見えたところが撮影画角の右端となる。また、反射ミラー１７を自己撮影者から見て右に１８°傾けた場合は、自己撮影者側から見てこの反射ミラー１７の右端に自分自身が見えた位置が撮影画角の左端となる。また、反射ミラー１７を正面に向けた場合は、自己撮影者側から見てこの反射ミラー１７の中央に自分自身が見えた位置が撮影画角の中央となる。
【０１４８】
図３４は、上記埋め込み部材の外観斜視図である。
【０１４９】
図３４には、挿入口１８を形成する埋め込み部材３８０が示されている。
【０１５０】
図３５は、反射ミラーの角度について示す図である。
【０１５１】
図３５には、反射ミラーを右側に向けた状態が示されており、７２°の画角、カメラ光軸Ｉ、反射ミラーの法線Ｈ、自己撮影者の位置を表わす線Ｋが示され、カメラ光軸Ｉと反射ミラーの法線Ｈとがなす角度が１８°に設定されている。したがって、反射ミラーを見た場合に、自己撮影者側から見てその反射ミラー上の左端に自分自身が写る位置が、この撮影画角の右端となる。
【０１５２】
以上に説明した第５実施形態のカメラ５によれば、反射ミラーが撮影画角内の左右、および正面に向けて保持が可能となっており、反射ミラーが自己撮影者側から見て左向きの所定の位置に向けられる場合には、自己撮影者は、反射ミラーの左端に自分自身が写るか否かによって撮影画角内にいるか否かを判断することができる。また、反射ミラーが自己撮影者側から見て右向きの所定の位置に向けられる場合には、自己撮影者は、反射ミラーの右端に自分自身が写るか否かによって撮影画角内にいるか否かを判断することができ、さらに、反射ミラーが正面の所定の位置に向けられる場合には、自己撮影者は、反射ミラーの中央に自分自身を写すことで自分自身が撮影画角内の中央にいると判断することができる。
【０１５３】
尚、本発明のカメラの、第１実施形態、第３実施形態、および第４実施形態では、光源からの光を規制して、画角内の左側、中央、および右側に進ませるための、３つの独立した、視認窓、小孔、あるいは反射面を備えているが、これらに限らず、３つの独立した視認窓あるいは小孔を、左側の小孔から右側の小孔までを１つの長孔にしてもよく、３つの独立した反射面を、左側の反射面から右側の反射面までを１つの細長い反射面にしてもよい。
【０１５４】
図３６は、本発明のカメラの第１実施形態に備えられた視認窓を長孔にした場合を示す図である。
【０１５５】
図３７は、本発明のカメラの第３実施形態に備えられた小孔を長孔にした場合を示す図である。
【０１５６】
図３８は、本発明のカメラの第４実施形態に備えられた反射面を長楕円状にした場合を示す図である。
【０１５７】
このようにした場合であっても、その長孔上の、あるいは細長い反射面上のいずれを光が経由してきたかを視認することで、画角内における自己の位置を正確に把握することができる。
【０１５８】
また、第３実施形態および第４実施形態では、本発明にいう光路規制部材をカメラの上面に備えた場合について説明しているが、これに限らず、この光路規制部材をカメラに内蔵して同様な働きをさせるものであってもよい。
【０１５９】
さらに、第１実施形態から第５実施形態では、ロール状のフィルム（２４ｍｍ×３６ｍｍ）を装填したカメラを例に挙げて説明したが、これに限らず、インスタントカメラや電子カメラなどを使用したものであってもよく、撮影レンズの先端に自己撮影用のレンズを装着して自己撮影を行なうカメラであってもよい。加えて、第１実施形態から第５実施形態では、カメラの両端にシャッタ釦を備えているが、これがいずれか一方にのみ備えられたものであっても本発明には影響ない。
【０１６０】
加えて、第１実施形態から第４実施形態では、本発明の標識としてＬＥＤを例に挙げて説明したが、本発明の標識はＬＥＤに限らず、貫通穴、シールなどの視認できるものであっても、本発明の効果には影響ない。
【０１６１】
【発明の効果】
以上説明したように、本発明のカメラによれば、画角内に入っているか入っていないかを認識させることはもちろんのこと、さらには、画角内における位置を従来よりも正確に撮影者に認識させることができる。
【図面の簡単な説明】
【図１】本実施形態の、斜め前方からの外観斜視図である。
【図２】図１に示すカメラの上面に立設されている反射ミラーの外観斜視図である。
【図３】反射ミラーの、自己撮影時における３通りの使用態様を示す図である。
【図４】埋め込み部材の外観斜視図である。
【図５】カメラのフィルム面の前方において、撮影画角内の３人の被写体がそれぞれが、３つの視認窓それぞれを通して両眼でＬＥＤの光を確認している様子を示す概念図である。
【図６】３つの視認窓によって規制されて画角内を進む、ＬＥＤからの光の水平成分を示す図である。
【図７】３つの視認窓によって規制されて画角内を進む、ＬＥＤからの光の鉛直成分を示す図である。
【図８】反射ミラーの角度について示す図である。
【図９】自己撮影モードが選択されると起動されるルーチン‘自己撮影’のフローチャートである。
【図１０】視認窓が、図７に示される視認窓に比べカメラの上面寄りに設けられたカメラの縦断面を示す図である。
【図１１】図１０において説明した本実施形態の別態様であるカメラの、斜め前方からの外観斜視図である。
【図１２】図１および図１１ではカメラの中央上部付近に備えられていた視認窓およびＬＥＤを、レンズ鏡胴の左下方付近に備えた場合の態様を示す図である。
【図１３】本実施形態のカメラにおいて、自己撮影モードが選択された場合に起動される別態様のルーチンのフローチャートである。
【図１４】本実施形態の、斜め前方からの外観斜視図である。
【図１５】反射ミラーの、自己撮影時における３通りの使用態様を示す図である。
【図１６】本実施形態の埋め込み部材の外観斜視図である。
【図１７】カメラのフィルム面の前方において、撮影画角内の３人の被写体それぞれが、３つの視認窓それぞれを通して両眼でＬＥＤの光を確認している様子を示す概念図である。
【図１８】３つのＬＥＤからの光が１つの視認窓を通して画角内に進んでいる様子を示す図である。
【図１９】図１４に示す本実施形態のカメラが、縦方向においてコンパクト化された場合の態様を示す図である。
【図２０】図１４および図１９ではカメラの中央上部付近に備えられていた視認窓およびＬＥＤを、レンズ鏡胴の左下方付近に備えた場合の態様を示す図である。
【図２１】本発明のカメラの第３実施形態を示す図である。
【図２２】本実施形態のカメラを使用して自己撮影を行なう場合の、撮影レンズの光軸を含む水平面による断面を概念的に示した図である。
【図２３】図２１に示すカメラの上面に立設されている、第１部材および第２部材の位置関係を示す図である。
【図２４】撮影者が、１人で、図２３に示す、光路Ａ、光路Ｂ、および光路Ｃをカメラの前方からそれぞれ視認して行なった撮影によって得られたプリント写真を示す図である。
【図２５】被写体である２人の人物が、画角内の右側への光路Ａと画角内の左側への光路Ｃをそれぞれ視認しながら撮影を行なっている様子を示す図である。
【図２６】図２５に示す撮影によって得られた写真を示す図である。
【図２７】本発明のカメラの第４実施形態を示す図である。
【図２８】本実施形態のカメラの本体部を示す図である。
【図２９】本実施形態のカメラのカバー部を示す図である。
【図３０】本実施形態のカメラを使用して自己撮影を行なっている様子を示す図である。
【図３１】図３０における撮影によって得られた写真を示す図である。
【図３２】本実施形態のカメラの、斜め前方からの外観斜視図である。
【図３３】反射ミラーの、自己撮影時における３通りの使用態様を示す図である。
【図３４】上記埋め込み部材の外観斜視図である。
【図３５】反射ミラーの角度について示す図である。
【図３６】本発明のカメラの第１実施形態に備えられた視認窓を長孔にした場合を示す図である。
【図３７】本発明のカメラの第３実施形態に備えられた小孔を長孔にした場合を示す図である。
【図３８】本発明のカメラの第４実施形態に備えられた反射面を長楕円状にした場合を示す図である。
【符号の説明】
１、２、３、４、５、１０、２０、１００、２００　カメラ
１ａ、１ｂ、１ｃ、２ａ、１０ａ、１０ｂ、１０ｃ、２０ａ、１００ａ、１００ｂ、１００ｃ、２００ａ　視認窓
８　レンズ鏡胴
９　写真フィルム
１１ａ、１１ｂ、１１ｃ、２１ａ　屈折部材
１２　ファインダ対物窓
１３　フラッシュ発光窓
１４　レンズバリア
１５　レリーズボタン
１６、２５　ライトガイド
１７　反射ミラー
１７ａ　鏡部
１７ｂ　挿入棒
１８　挿入口
１９、２１９ａ、２１９ｂ、２１９ｃ　ＬＥＤ
２３　軸
２４　ネジ
２６ａ、２６ｂ、２６ｃ　反射面
２８　突起
３０　第１部材
３０ａ、３０ｂ、３０ｃ　小孔
３１　第２部材
３２、３３　スイッチ
４０　ベース部材
４１　可動部材
４３　カメラ本体部
４４　カメラカバー部
１８０、２８０、３８０　埋め込み部材
１８１、２８１　筒部
１８２　アーム
１８３　色付フィルタ
２８２　絶縁材
２８３　金属片
２８４ａ、２８４ｂ、２８４ｃ　端子
３００　電気基板
４４１ガイド孔
４４２　ネジ孔
【図１】
2004004453.tif 000003
【図２】
2004004453.tif 000004
【図３】
2004004453.tif 000005
【図４】
2004004453.tif 000006
【図５】
2004004453.tif 000007
【図６】
2004004453.tif 000008
【図７】
2004004453.tif 000009
【図８】
2004004453.tif 000010
【図９】
2004004453.tif 000011
【図１０】
2004004453.tif 000012
【図１１】
2004004453.tif 000013
【図１２】
2004004453.tif 000014
【図１３】
2004004453.tif 000015
【図１４】
2004004453.tif 000016
【図１５】
2004004453.tif 000017
【図１６】
2004004453.tif 000018
【図１７】
2004004453.tif 000019
【図１８】
2004004453.tif 000020
【図１９】
2004004453.tif 000021
【図２０】
2004004453.tif 000022
【図２１】
2004004453.tif 000023
【図２２】
2004004453.tif 000024
【図２３】
2004004453.tif 000025
【図２４】
2004004453.tif 000026
【図２５】
2004004453.tif 000027
【図２６】
2004004453.tif 000028
【図２７】
2004004453.tif 000029
【図２８】
2004004453.tif 000030
【図２９】
2004004453.tif 000031
【図３０】
2004004453.tif 000032
【図３１】
2004004453.tif 000033
【図３２】
2004004453.tif 000034
【図３３】
2004004453.tif 000035
【図３４】
2004004453.tif 000036
【図３５】
2004004453.tif 000037
【図３６】
2004004453.tif 000038
【図３７】
2004004453.tif 000039
【図３８】
2004004453.tif 000040